(57)【要約】【課題】  ブレーカの開動作を認識でき、ブレーカを備えた電路であっても接続不良発生を精度良く検知できる電路接続不良検出回路を提供する。【解決手段】  電路１の接続不良を検出するために電路１の極毎に設置されたセンサ回路４１と、監視対象の電路１に設けられているブレーカ３の開動作を検出する開動作検出回４２路と、開動作検出回路４２の検出動作を受けて、センサ回路４１の監視動作を停止させる動作停止回路４３と、センサ回路４１の少なくとも１つが異常発生信号を出力し、且つ開動作検出回路４２がブレーカ３の開動作を検出しなければ、接続不良発生と判定する判定回路４４とを有する。【選択図】  図１
2016100321.tif 000002
【特許請求の範囲】
【請求項１】
電路の接続不良を検出するために電路の極毎に設置されて接続状態を監視する接続監視回路と、
監視対象の前記電路に設けられているブレーカの開動作を検出する開動作検出回路と、
前記開動作検出回路の検出動作を受けて、前記接続監視回路の監視動作を停止させる動作停止回路と、
前記接続監視回路の少なくとも１つが異常発生信号を出力し、且つ前記開動作検出回路が前記ブレーカの開動作を検出しなければ、接続不良発生と判定する判定回路とを有することを特徴とする電路接続不良検出回路。
【請求項２】
前記開動作検出回路は、前記電路を構成する極毎に設置された前記接続監視回路が、同時に且つ一定時間異常検出動作したら前記ブレーカが開動作したと判断することを特徴とする請求項１記載の電路接続不良検出回路。
【発明の詳細な説明】
【技術分野】
【０００１】
本発明は電路の接続不良を検出する電路接続不良検出回路に関し、特にブレーカを備えた電路に適用できる接続不良検出回路に関する。
【背景技術】
【０００２】
従来より電路に接続不良が発生したらそれを検出する回路が提案されている。例えば、特許文献１ではブレーカの接続端子の接続不良を検出する回路が開示され、端子温度を検出することなく接続不良の検出を可能としている。
【先行技術文献】
【特許文献】
【０００３】
【特許文献１】特許第５３５１５３３号公報
【発明の概要】
【発明が解決しようとする課題】
【０００４】
従来の接続不良検出回路は、上記特許文献１に開示されているようにブレーカの端子に適用できるが、ブレーカの電源側及び負荷側の双方の端子の接続不良発生を検出する場合は、それぞれに検出回路が必要であった。これは、ブレーカの接続部（電源側端子及び負荷側端子）の接続不良を検出する場合、１つの回路で検出しようとするとブレーカの開動作も接続不良発生と判断してしまうためであった。
【０００５】
そこで、本発明はこのような問題点に鑑み、ブレーカの開動作を認識できブレーカを備えた電路であっても接続不良発生を精度良く検知できる電路接続不良検出回路を提供することを目的としている。
【課題を解決するための手段】
【０００６】
上記課題を解決する為に、請求項１の発明に係る電路接続不良検出回路は、電路の接続不良を検出するために電路の極毎に設置されて接続状態を監視する接続監視回路と、監視対象の電路に設けられているブレーカの開動作を検出する開動作検出回路と、開動作検出回路の検出動作を受けて、接続監視回路の監視動作を停止させる動作停止回路と、接続監視回路の少なくとも１つが異常発生信号を出力し、且つ開動作検出回路がブレーカの開動作を検出しなければ、接続不良発生と判定する判定回路とを有することを特徴とする。
この構成によれば、ブレーカが開動作したら動作停止回路がそれを検知して接続監視回路の監視動作が停止するため、接続監視回路がブレーカを含む電路に設置されても判定回路がブレーカの開動作を電路異常と判定することがない。よって、ブレーカを有する電路を監視する場合でも電源側端子と負荷側端子とで独立した接続監視回路を設ける必要がない。
【０００７】
請求項２の発明によれば、請求項１に記載の構成において、開動作検出回路は、電路を構成する極毎に設置された接続監視回路が、同時に且つ一定時間異常検出動作したらブレーカが開動作したと判断することを特徴とする。
この構成によれば、開動作検出回路は接続監視回路の情報からブレーカの開操作や遮断動作等の開動作を判断するため、ブレーカの開動作を検出するための専用の回路を必要としない。
【発明の効果】
【０００８】
本発明によれば、ブレーカが開動作したら動作停止回路が動作して接続監視回路の監視動作が停止するため、接続監視回路がブレーカを含む電路に設置されても、判定回路がブレーカの開動作を電路異常と判定することがない。よって、ブレーカを有する電路を監視する場合でも電源側端子と負荷側端子とで独立した接続監視回路を設ける必要がない。
【図面の簡単な説明】
【０００９】
【図１】本発明に係る電路接続不良検出回路の一例を示す回路図である。
【発明を実施するための形態】
【００１０】
以下、本発明を具体化した実施の形態を、図面を参照して詳細に説明する。図１は本発明に係る電路接続不良検出回路の一例を示す回路図であり、１はＬ１極及びＮ極の２本線から成る単相の電路、２は電路１により電力を供給する負荷、３は電路１を接続／遮断するブレーカ、４は電路接続不良検出回路、５は電路接続不良検出回路４の電源回路である。
また、６はブレーカ３の電源側接続部、７は負荷側接続部を示している。
【００１１】
電路接続不良検出回路４は、電路１の接続異常を検知するための２つのセンサ回路４１（Ｌ１極センサ回路４１ａ、Ｎ極センサ回路４１ｂ）、ブレーカ３の開動作を検出する開動作検出回路４２、センサ回路４１の入力に設けられた接点Ｂを開操作する動作停止回路４３、センサ回路４１の出力から接続不良を判断する判定回路４４、接続不良発生を報知する報知回路４５、報知回路４５の報知動作をリセットするリセット回路４６等を備えている。
【００１２】
センサ回路４１は、電路１のＬ１極及びＮ極に対して設けられ、接続点Ｓ１から接続点Ｓ２までの区間Ｍがセンサ回路４１の監視区間である。この監視区間内にブレーカ３が配置されており、ブレーカ３との接続部６，７を含めて接続不良が発生したらそれを検知する。具体的には、ブレーカ３の電源側接続部６或いは負荷側接続部７に一定の値を超える電位差が発生したら、センサ回路４１がそれを検出して異常発生信号を出力する。
尚、監視対象の区間Ｍにブレーカ３との接続以外の接続部がある場合はその接続部も含めて一括してセンサ回路４１は監視する。
【００１３】
開動作検出回路４２は、全ての（ここでは２つの）センサ回路４１の出力をＡＮＤ回路４２ａで受け、双方のセンサ回路４１が同時に異常発生信号を出力したらブレーカ３が開動作したと判断して開動作信号を出力する。厳密には、双方のセンサ回路４１が同時に且つ一定時間の間（半サイクル以上）異常発生信号を出力したら、開動作検出回路４２は開動作したと判断する。
【００１４】
動作停止回路４３は、接点Ｂを備えたリレー４３ａ及びＬＥＤ４３ｂを有し、開動作検出回路４２の出力信号を受けてリレー４３ａを動作させると共に、ＬＥＤ４３ｂを点灯させてブレーカ３が開動作したことを発光表示する。接点Ｂは、センサ回路４１の入力部（電路１との接続点Ｓ１の間）に配置され、リレー４３ａの動作を受けてオフしてセンサ回路４１の入力が遮断される。
【００１５】
判定回路４４は、安定化回路４４ａ、ＡＮＤ回路４４ｂ、ワンショット回路４４ｃ等を有し、ＡＮＤ回路４４ｂにより判定が行われ、２つのセンサ回路４１の少なくとも何れか一方が異常発生信号を出力し、且つ開動作検出回路４２の出力がオフ状態であれば、接続不良発生と判断して接続不良発生信号を出力する。出力はワンショット回路４４ｃにより一定時間の信号が出力される。尚、安定化回路４４ａは、センサ回路４１の出力信号を平均化する平均値回路１１と、この平均値回路１１の出力が所定値を超えたら信号を出力する判定回路１２とで構成されている。
【００１６】
報知回路４５はＬＥＤ４５ａを有し、判定回路４４の出力を受けてＬＥＤ４５ａを点灯する。
【００１７】
リセット回路４６は、開動作検出回路４２の出力を受けて信号を出力するワンショット回路４６ａを有し、報知回路４５が動作中にブレーカ３が開動作したら報知回路４５をリセットしてＬＥＤ４５ａを消灯させる。
【００１８】
上記の如く構成された電路接続不良検出回路４の動作は以下の様である。まず、ブレーカ３の電源側接続部６、例えばＬ１極の電源側接続部６で接続不良が発生すると、Ｌ１極センサ回路４１ａが異常発生信号を出力する。このときＮ極センサ回路４１ｂは異常発生信号を出力しないため、判定回路４４は接続不良発生信号を出力する。こうして、報知回路４５は報知動作し、ＬＥＤ４５ａが点灯して異常発生を表示して報知する。
尚、Ｌ１極の負荷側接続部７で接続不良が発生した場合も同様であり、Ｌ１極センサ回路４１ａが異常発生を検知する。
【００１９】
一方、Ｎ極側の電源側接続部６或いは負荷側接続部７で接続不良が発生した場合は、Ｎ極センサ回路４１ｂが異常発生信号を出力する。その結果、ＬＥＤ４５ａが点灯して異常発生を報知する。
【００２０】
また、ブレーカ３が遮断動作した場合、或いはオフ操作された場合は、Ｌ１極センサ回路４１ａ及びＮ極センサ回路４１ｂの双方が同時に異常発生信号を出力することで、一定時間に亘りこの信号を受けた開動作検出回路４２は開動作信号を出力する。この結果、動作停止回路４３が動作してセンサ回路４１の入力が遮断され、センサ回路４１の動作が停止する。
【００２１】
このように、ブレーカ３が開動作したら動作停止回路４３がそれを検知してセンサ回路４１の監視動作が停止するため、センサ回路４１がブレーカ３を含む電路１に設置されても判定回路４４がブレーカ３の開動作を電路異常と判定することがない。よって、ブレーカ３を有する電路を監視する場合でも電源側接続部６と負荷側接続部７とで独立したセンサ回路４１を設ける必要がない。
また、開動作検出回路４２は電路１を構成する全ての極に設けられたセンサ回路４１の出力からブレーカ３の開操作や遮断動作等の開動作を判断するため、ブレーカ３の開動作を検出するための専用の回路が必要ない。
【００２２】
尚、上記実施形態では、Ｌ１極及びＮ極から成る単相の電路１に設置した電路接続不良検出回路４について説明したが、電圧極がＬ１極に加えてＬ２極を有する単相３線式の電路である場合、或いは３相電路の場合は、センサ回路４１は３つ設けられることになる。
また、接続不良の発生をＬＥＤ４５ａで表示する構成であるが、ブザーを接続して発報させても良い。
【符号の説明】
【００２３】
１・・電路、２・・負荷、３・・ブレーカ、４・・電路接続不良検出回路、６・・電源側接続部、７・・負荷側接続部、４１・・センサ回路（接続監視回路）、４２・・開動作検出回路、４３・・動作停止回路、４４・・判定回路、４５・・報知回路。
【図１】
2016100321.tif 000003